(57)【要約】【課題】フックなどの掛け具に縦向き・横向きのいずれにも掛架でき、卓上等に平置するにも好適するティッシュボックスカバーを提供すること。【解決手段】本体上面にスリットを形成し、本体の前端部に開閉自在の出入口を形成し、片方の横壁面に一端を固着し他方を自由端とした帯状体が、本体前端部の外側を通って他方の横壁面の途中までの長さを有し、他方の横壁面と帯状体の自由端側に相互が係合する面ファスナーを対設する。片方の横壁面における前端部寄りに、帯状体が挿通する案内片を取り付ける。【選択図】          図１
0003116564.tif 000002
【実用新案登録請求の範囲】
【請求項１】
本体の長手方向上面中央にスリットを形成し、本体の前端部に開閉自在の出入口を形成し、片方の横壁面の後部に一端を固着し他方を自由端とした帯状体が、本体前端部の外側を通って他方の横壁面の途中までの長さを有し、該他方の横壁面と帯状体の自由端側に相互が係合する面ファスナーを対設し、片方の横壁面における前端部寄りに、帯状体が挿通する案内片を取り付けたことを特徴とする掛架式ティッシュボックスカバー。
【考案の詳細な説明】
【技術分野】
【０００１】  本考案は、縦向き・横向きいずれにも掛架できる掛架式ティッシュボックスカバーに関する。
【背景技術】
【０００２】  ティッシュボックスを机上や卓上等に載置するだけでなく、任意の場所に固定できるようにしたもの（例えば特許文献１及び特許文献２参照）があり、また吊り下げできるように工夫したもの（例えば特許文献３参照）もある。
【特許文献１】特開２００１−２９２９２７号公報
【特許文献２】特開２００１−３１５８６６号公報
【特許文献３】特開２００１−２４００６７号公報
【考案の開示】
【考案が解決しょうとする課題】
【０００３】  特許文献１に示された技術は、ティッシュボックスの化粧面に粘着性テープを設け、粘着性テープを物体の側面、底面に接着してティッシュボックスを固定することを特徴としているが、この例によると粘着性テープ（表面に離型紙を貼付する）をティッシュボックスに規則正しく貼付する必要があってその分製品がコスト高になる不利と、接着固定したティッシュボックスは、粘着性テープを物体から剥さないと簡単には移動できず、また接着個所によっては粘着剤の移着痕が残って見苦しくなるといった恐れもある。
【０００４】  特許文献２に示された技術は、壁掛け式ティッシュボックスの収納器であり、壁に固定した収納器内にティッシュボックスを二段重ねて取り付けできることを特徴としているが、この例によると、収納器自体はビスなどで所定位置に固定するため容易には移動できず、したがって一旦固定した収納器の携帯・持ち運びは難しい問題と、収納器を絶えず壁面に固定しているので、ティッシュボックスを取り付けない場合は収納器だけが目視されて体裁が悪いといった不利と、しかも収納器を壁面に取り付けると、取り外した際にビス孔などの取り付け痕が残るという問題点もある。
【０００５】  特許文献３に示された技術は、ティッシュボックス又はそのケースにベッドの手すりを跨いだ平たいベルトを固定した例であり、手すりに掛架できる点で前記特許文献１及び２とは異なる構成であるが、手すりに係合する平たいベルトはティッシュボックス又はケースより絶えず突出しているので、例えば卓上等にそのまゝ載置しておく状態ではむしろ邪魔となったり目障りになり、したがって見栄えがせずファッション性に欠けるなどの不具合がある。
【０００６】  本考案はこのような従来の諸不利を解消したもので、フックのような掛け具があれば壁面・柱など随所に掛架でき、取り付け取り外しが簡単で縦向き・横向きいずれにも設置できるとともに携帯・持ち運びに便利で通常のティッシュボックスカバー同様平置するにも都合が良く、コンパクトに折り畳むことができて繰り返し使用に好適するティッシュボックスカバーを提供することを目的とする。
【課題を解決するための手段】
【０００７】  すなわち本考案は、本体の長手方向上面中央にスリットを形成し、本体の前端部に開閉自在の出入口を形成し、片方の横壁面の後部に一端を固着し他方を自由端とした帯状体が、本体前端部の外側を通って他方の横壁面の途中までの長さを有し、該他方の横壁面と帯状体の自由端側に相互が係合する面ファスナーを対設し、片方の横壁面における前端部寄りに、帯状体が挿通する案内片を取り付けたことを特徴としている。
【考案の効果】
【０００８】  本考案は、帯状体の自由端側に設けた面ファスナーと横壁面に設けた面ファスナーが係合することで帯状体の位置決めがなされるものであり、帯状体を緩めて引き出すとループ状の突出部ができるので、その部分をフックのような掛け具に係合すれば所望個所に簡単に取り付けでき、また取り外しも頗る容易となる。
【０００９】  帯状体は案内片によって幅方向が偏ることもなく引き出し長さを調整でき、他方の横壁面の面ファスナーの任意位置に裏側の面ファスナーを係合すればよく、したがって片方の横壁面側と、前端部側のいずれか一方に引き出してループ状の突出部とすることにより本体を横向き・縦向きのいずれの向きとしても掛架でき、また突出部はそのまゝ把手ともなるので持ち運びにも都合が良い。
【００１０】  帯状体を伸長して本体両側の横壁面及び前端部に密着させ、面ファスナー同士を係合すると本体にフィットして目立つこともないので通常のティッシュボックスカバー同様卓上・机上等に体裁よく平置することができ、また本考案は布・不織布などの柔軟な素材で構成するのに向くためコンパクトに折り畳みでき、場所を取ることもないので携帯にも適する。
【考案を実施するための最良の形態】
【００１１】  図面を参照して本考案を説明すると、図１において１は不織布・布などを素材とする本体であり、長手方向上面２中央にティッシュの取出口であるスリットＳを形成し、内部にティッシュボックス３０（仮想線示）を密接して収納するもので、この点は従来のティッシュボックスカバーと変わらない形態を有している。【００１２】  ４はティッシュボックス３０を出し入れする開閉自在の出入口で、本体１の前端部３を接離自在に重ね合わせたものであり、前端部３は上面２と下面２’を延長して形成され、いずれか一方（図では上面２）の内面に面ファスナー５を縫着し、他方（図では下面２’）の外面に面ファスナー５’を縫着し、相互を密に係合することにより出入口４は閉じられ、係合を解除することにより開口する。なお面ファスナー以外の手段例えばホックを用いたりボタンを使用してもよい。【００１３】  １０は本体１の片方の横壁面６から、本体の一方の前端部３すなわち出入口４の外側を通って他方の横壁面６’の途中までの長さを有する帯状体で、片方の横壁面６の後部に一端を縫着し且つ他方を自由端としたもので、他方の横壁面６’に長めの面ファスナー１５を、また帯状体１０の自由端側の内面に短めの面ファスナー１５’を夫々縫着して相互の面ファスナー１５、１５’を係合するようにしてあり、係合位置を変えることによって帯状体１０を伸長したり緩めたりすることができる。【００１４】  ２０は片方の横壁面６の上記前端部３寄りに取り付けた案内片で、帯状体１０はこの案内片２０の中を通って他方の横壁面６’に達する。図２は片方の横壁面６側に帯状体１０を引き出してループ状の突出部Ｒを形成したもので、こうすることにより該突出部Ｒはフックなどの掛け具４０（仮想線示）に取り付けることができ、本体１は壁面・柱などの固定部に横向きに掛架できる。この時当然ながら帯状体１０の自由端側にある面ファスナー１５’は横壁面６’の長めの面ファスナー１５の本体前端部３寄りに係合している。【００１５】  案内片２０が存在することにより帯状体１０は引き出した位置で突出部Ｒが形崩れすることなく固定されるとともに幅方向も規制されるので左右に偏ることもなく正しく位置決めされる。帯状体１０を前端部３側に引き出してループ状の突出部Ｒ’を形成すると、図３のように本体１を縦方向に掛架することができる。すなわち本体１は、帯状体１０を片方の横壁面６側に引き出して突出部Ｒを形成するか、前端部３側に引き出して突出部Ｒ’を形成するかによって横向き・縦向きのいずれにも設定でき、その際帯状体１０の自由端にある面ファスナー１５’を横壁面６’にある面ファスナー１５に確固として係合させることができるので突出部Ｒ・Ｒ’は正形状態を維持し、本体１の掛架に何ら不具合を生じない。【００１６】  帯状体１０を本体１に密着させて伸長すると、本体１に前記のような突出箇所は存在しないため、全体が通常のティッシュボックスカバーのように平板な外観を呈し、したがって図４のように卓上５０などに平置しても何ら不自然とはならない。ティッシュボックス３０の出入口４すなわち本体１の前端部３は、面ファスナー１５・１５’の係合によって閉じられているが、帯状体１０がその外側を囲繞する形となるので一見すると出入口４の存在すら分からないで体裁のよい外観を呈する。【００１７】  上記のように本考案は本体１に帯状体１０を取り付け、帯状体１０の挿通する案内片２０を本体１の片方の横壁面６に設けた頗るシンプルな構造であり、素材も布・不織布など任意のものを使用することができるので手軽に作製できるとともに、扁平に折り畳みもできるので収納時に余分な占有空間を要しない実益がある。なお図示した本体１、帯状体１０の点線個所は縫着部のミシン目を示したものに他ならず、また本体１の表面に絵柄等を印刷することは任意事項であり、更に本考案の目的効果を奏する範囲における形状変更等も、本考案の自由な実施範囲に属すること勿論である。
【図面の簡単な説明】
【００１８】
【図１】本考案を示し、（ａ）は平面図、（ｂ）は中央断面図、（ｃ）は正面図、（ｄ）は斜視図である。
【図２】横掛架式とした本考案の斜視図である。
【図３】縦掛架式とした本考案の平面図である。
【図４】卓上に本考案を平置した概略図である。
【符号の説明】
【００１９】１    本体
２    上面
２’  下面
Ｓ    スリット
３    前端部
４    出入口
６    片方の横壁面
６’  他方の横壁面
１０  帯状体
１５・１５’  面ファスナー
２０  案内片
【図１】
0003116564.tif 000003
【図２】
0003116564.tif 000004
【図３】
0003116564.tif 000005
【図４】
0003116564.tif 000006